(57)【要約】【課題】仮に不正行為を行った後に偽造した封印具を取り付けたとしても、その不正が容易に発見できる封印具を提供する。【解決手段】記憶手段に所要のデータを記憶させたアンテナ内蔵型ＩＣチップ１１を内蔵した単体１２を成形し、一方、表示基板１の所定位置に前記単体１２が嵌入し得る取付孔１３を穿設し、前記取付孔１３に単体１２を嵌入して封印具Ａを成形する。そして、リーダ１４を封印具Ａに近付けてデータを読み取るようにし、これにより偽造した封印具か否か判別できる。【選択図】図６
2005148399.tif 000002
【特許請求の範囲】
【請求項１】
データ読取手段により読み取ることができるデータを記憶する記憶手段を備えたことを特徴とする封印具。
【請求項２】
データ読取手段により読み取ることができるデータを記憶する記憶手段と、前記記憶手段が記憶するデータを前記データ読取手段との間において非接触で伝送できるデータ伝送手段とを備えたことを特徴とする封印具。
【発明の詳細な説明】
【技術分野】
【０００１】
本発明は、管理者以外の者の開閉行為を禁止するために使用される封印具に関するものである。
【背景技術】
【０００２】
この種封印具として、例えばタクシーメーターの分割ケースを解放不能に封印する封印具がある。この封印具は、単又は同軸状に連設された複数の封印孔に挿通することで分割ケースが解放不能に封印される封印具本体及び封印鉛からなり、前記封印具本体の一端に前記開口縁部に当接しかつ挿入方向へ進退不能に係合される抜け止め部を設け、封印具本体の他端に通過した封印鉛の貫通孔の口縁よりも外方へ拡開して封印鉛の自重による抜け落ちを防止する逆止部を設け、前記抜け止め部と逆止部との間に加圧圧潰させた封印鉛の貫通孔内面と咬合する起伏面を設けて構成されている（特許文献１参照。）。
【特許文献１】特開２０００−２０６８８５号公報（第３−４頁、図３）
【発明の開示】
【発明が解決しようとする課題】
【０００３】
しかしながら、近時この種封印具をあらかじめ偽造しておき、取り付けられている真正の封印具を破断してケースを無断で開放した後、今度は前記偽造した封印具を前記真正の封印具に替えて取り付け、恰も分割ケースは解放してないかのごとく装う不正行為が発生している。
【０００４】
そこで、本発明は上記課題に鑑みてなされたもので、仮に不正行為を行った後に偽造した封印具に替えて取り付けたとしても、その不正が容易に発見できる封印具を提供することを目的とするものである。
【課題を解決するための手段】
【０００５】
かかる目的を達成するため、本発明に係る封印具は、データ読取手段により読み取ることができるデータを記憶する記憶手段を備えた構成からなる。
【０００６】
また、本発明に係る封印具は、データ読取手段により読み取ることができるデータを記憶する記憶手段と、前記記憶手段が記憶するデータを前記データ読取手段との間において非接触で伝送できるデータ伝送手段とを備えた構成からなる。
【０００７】
前記記憶手段は、例えばＰＲＯＭ、ＥＰＲＯＭ、マスクＲＯＭ、ＥＥＰＲＯＭ、フラッシュメモリといった半導体記憶素子により構成される。この内、ＥＥＰＲＯＭまたはフラッシュメモリはデータの書き換えが可能であって、この場合は前記記憶手段が記憶するデータをデータ読取手段との間において非接触で伝送可能なデータ伝送手段が使用される。このデータ伝送手段は、いわゆるＲＦＩＤチップにおいて使用されているものと同一であり、ＥＥＰＲＯＭやフラッシュメモリを備えたメモリ部のほかに、ＣＰＵを備えたコントローラ部がある。そして、アンテナ部を介しデータ読取手段との間で無線通信によるデータの伝送を行い、メモリ部からのデータの読み取り、メモリ部のデータの書き換えを行うことができる。
【０００８】
そして、前記所要の記憶手段または該記憶手段とデータ伝送手段が集積されたＩＣチップが、封印具内に内蔵される。内蔵手段としては、例えば通常封印具は合成樹脂材により成形されることから、成形金型内の所定位置にＩＣチップを配置し、その成形金型内に溶融樹脂を充填して成形するか、別途ＩＣチップが内蔵される単体を成形し、一方、封印具には単体が嵌入される取付孔を設け、封印具を成形した後に前記取付孔に単体を抜脱不能に嵌入するようにしても良い。また、ＩＣチップを作動させるための電力は、例えば電磁結合方式または電磁誘導方式によりデータ読取手段側から供給される。
【０００９】
前記ＩＣチップは、第三者に解り難く発見されないようにするため、できれば小型であればあるほど良い。そこで、例えば縦、横、高さがそれぞれ０．４×０．４×０．０６ｍｍのチップが使用される。しかも、このＩＣチップには１０の１７〜２８剰の数値といった多くのデータを記憶することができ、例えば、その数値の６〜８桁目を顧客のコードとして利用し、９〜１０桁目を利用して製品名称の判別をするといったことができる。なお、これらデータは読取専用として記憶させても良く、または内容の変更も可能に記憶させるようにしても良い。
【００１０】
そこで、前記記憶手段には、後記するような免税品を収納して旅客機の機内に積み込まれる販売品収納箱の封印具にあっては、例えば顧客（使用者）のコード番号、生産日、取付・取外日時、取付場所、製造者、製品名などを固有の数字として記憶させるようにしておく。そして、現場では、データ読取手段であるハンディタイプのリーダを封印具に近付けてそのデータを読取る。そのデータが読取れしかも入力したデータまたは変更後のデータと同じであればその封印具は真正なものであると判断される。一方、データが読取れないときは偽造した封印具であると判断できる。
【００１１】
また、前記封印具における顧客（使用者）のコード番号、生産日、取付・取外日時、取付場所、製造者、製品名などを固有の数字として記憶させるようにすれば、製品管理上そのまま利用でき便利である。
【発明の効果】
【００１２】
請求項１記載の封印具にあっては、記憶手段に例えば顧客のコード番号などの所定のデータを記憶させておけば、データ読取手段を使用することにより前記データが読み取れたかどうかにより、真正な封印具か偽造された封印具かが一目で解り、不正行為の発見が容易となる。また、例えば顧客のコード番号、生産日、取付・取外日時、取付場所、製造者、製品名、保管履歴などのデータを記憶させることにより、同時に製品管理、流通管理、リサイクル管理にも利用でき極めて都合が良いという効果が有る。
請求項２記載の封印具にあっては、前記効果に加え、記憶されたデータの内容の変更ができることから、より幅広い製品管理、流通管理、リサイクル管理が行える。
【発明を実施するための最良の形態】
【００１３】
以下、本発明に係る封印具の実施の形態を図面に基づき説明する。この封印具は、封印を必要とする個所であればほとんど使用できるが、その一例として例えば乗客に酒やたばこといった免税品を販売する為、これらを収納して旅客機の機内に積み込まれる販売品収納箱の封印具について説明する。また、本発明に使用されるアンテナ内蔵型ＩＣチップは、記憶されたデータの読み取りのみできるタイプであるが、データ内容の書き換えもできるタイプであっても良い。
【００１４】
図１は本発明に係る封印具の表面斜視図、図２は同裏面斜視図、図３は同一部断面側図である。封印具Ａは、例えばポリプロピレンといった合成樹脂材により一体に成形され、外形が略縦長円形状をなしかつ平板状に成形される表示基板１を有する。そして、縦長状に配置した表示基板１の上部中央であって外周側面１ａの厚み方向における中央部から、屈曲自在な所定長さのバンド部２が該表示基板１の表面１ｂと平行かつほぼ直線状に延設されている。前記バンド部２は、その基端部側に指先で摘んで引っ張ることにより容易に切断できる薄肉部としての切断穴３が設けられると共に先端部には挿入部４が設けられる。この挿入部４は、前記表示基板１の表・裏面１ｂ，１ｃと平行をなす細い薄板４ａと、その一側面、すなわち前記表示基板１の裏面１ｃと同じ側となる面、に先端部とは逆方向を向くように設けられる断面略三角形状の三条の係止歯５と、からなっている。
【００１５】
前記表示基板１表面１ｂの上部中央にバンド差込部６が一体に突設される。そして、表示基板１の裏面１ｃ側に差込口７が開設されると共に、バンド差込部６内に前記差込口７と連通して前記挿入部４が挿入される差込孔８が表示基板１と直交状に貫設されている。また、前記差込孔８の内周面であって、挿入される前記挿入部４の係止歯５と対向する面に、該係止歯５と互いに係合する弾性を有した逆止爪９が設けられている。前記表示基板１の表面１ｂには、航空会社を表示するマークＭが設けられている。
【００１６】
そして、図４に示すように、前記挿入部４を差込口７から差込孔８内に挿入することにより、いずれかの係止歯５が逆止爪９にその逆抜けが防止されるようにして係合する。この際、前記逆止爪９は弾性があるので、係止歯５が挿入されるときに破損するようなことはない。よって、この状態で挿入部４が差込孔８から引き抜かれる方向にバンド部２を引っ張ると、前記逆止爪９を破壊して挿入部４が引き抜かれることはなく、その前に前記バンド部２が、切断穴３で切断される。
【００１７】
封印具Ａでは、表示基板１の外周側面１ａからバンド部２が表示基板１の表面１ｂと平行に延設され、バンド部２の挿入部４が、前記表示基板１の表・裏面１ｂ，１ｃと平行な薄板４ａと、その一側面に設けられる係止歯５と、からなる。また、差込口７が表示基板１の裏面に設けられ、これと連通する差込孔８が、表示基板１と直交する向きに貫設されている。このような構成を採っているので、封印具Ａは、割型や横抜きを必要とすることなく、前記差込孔８内の逆止爪９を含め、全体に一対の雄・雌型を互いに一次元的にのみ接離させる射出成形によって成形できる。しかも、図５に示す成形品Ｓに見られるように、つなぎ部１０の一側に各列で同じ向きを向くようにして複数の封印具Ａを配設するようにすれば、射出成形機（図示せず。）によって、同時に多数の封印具Ａが成形できることとなり、量産が可能となる。
【００１８】
そこで、図６乃至図７に示すようにあらかじめアンテナを内蔵したアンテナ内蔵型ＩＣチップ１１を、合成樹脂材により成形される短柱状の単体１２内に内装し、この単体１２を封印具Ａの裏面１ｃの所定位置に穿設された取付孔１３に嵌入する。この際、前記単体１２の外側に位置し表示基板１の裏面１ｃとほぼ面一となる端面１２ａと前記裏面１ｃとをウエルダー溶着または接着などの固定方法を採ることによって、単体１２が抜脱不能に固着される。
【００１９】
本発明に係る封印具Ａは上記構成よりなり、図８乃至図１０に基きその使用方法について説明する。図８、図９において、Ｂは販売品収納箱であり、その前面に一側を軸支した扉１００が開閉自在に装着されている。扉１００の前面には、開放側に上下に回動するレバー１０１が軸着される。このレバー１０１は、引き下げることにより扉１００が開放不能に施錠され、また引き上げることにより開錠されて扉１００が自在に開閉できるようになる。前記レバー１０１の先端部には透孔１０２が設けられ、この透孔１０２がレバー１０１を引き下げたとき、扉１００の前面に固着された取付片１０３の透孔１０４と合致するようになっている。
【００２０】
そこで、販売品収納箱Ｂ内に各種販売品を収納した後は、機内で販売する間を除き、前記扉１００に錠１０５が掛けられる。この錠１０５は、図９に示すように前記レバー１０１を引き下げた状態で、両透孔１０２，１０４に掛けられる。これと同時に、前記両透孔１０２，１０４にバンド部２を挿通すると共にその先端の挿入部４を差込孔８に挿入して封印具Ａを取り付ける。この場合、マークＭを表示した表面１ｂが横を向く。
【００２１】
これにより、何者かが、扉１００を開け販売品収納箱Ｂの中から無断で品物を盗もうとして、前記錠１０５を外すと共に前記バンド部２を引っ張ると、バンド部２が切断穴３で切断され修復することができなくなる。よって、盗みの後に、扉１００に錠１０５を掛けておいたとしても、封印具Ａのバンド部２は切断されたままとなり、不正したことがすぐに解り対処がし易い。また、通常、飛行中の機内で乗客に酒や煙草といった免税品や食事等を販売するときは、前記表示基板１を指先でつまんで引っ張るのみで切断穴３から容易に切断でき、前記封印具Ａが鋏等を使用せずに簡単に取り外せる。
【００２２】
そこで、真正の封印具Ａである場合は、その中にアンテナ内蔵型ＩＣチップ１１が内蔵されていることから、図１０に示すようにデータ読取手段であるハンディタイプのリーダ１４を非接触で封印具Ａに近付けてやれば、アンテナ内蔵型ＩＣチップ１１からリーダ１４のアンテナにマイクロ波が返信されることで所定のデータを読み取ることができ、これにより真正の封印具であることが一目で判る。
【００２３】
一方、事前に偽造した封印具を用意しておき、前記盗みの後に切断された真正の封印具Ａを外し、替わりに偽造した封印具を取り付けておいたとしても、前記と同様にリーダ１４を偽造した封印具に近づけ読み出し動作をしてやれば、必要なデータが読み出されないことになって、不正が簡単に判る。これにより、偽造をすることができなくなり、引いては、不正行為の発生を減らすことができる。
【００２４】
本発明は、旅客機の機内に積み込まれる販売品収納箱の封印具について説明したが、他に電力計器の封印具または分割ケースの封印具など多々あるが、これらのいずれにも利用できること勿論である。
【図面の簡単な説明】
【００２５】
【図１】本発明に係る封印具の表側斜視図。
【図２】同裏側斜視図。
【図３】同一部断面側面図。
【図４】同挿入部を差込孔に挿入した状態を示す封印具の一部断面側面図。
【図５】同封印具が一度に成形された成形品の正面図。
【図６】アンテナ内蔵型ＩＣチップを内装した単体を封印具の取付孔に嵌入する状態を示す拡大斜視図。
【図７】同単体を封印具の取付孔に嵌入した状態を示す拡大断面図。
【図８】封印具の使用状態を示す販売品収納箱の斜視図。
【図９】同一部拡大斜視図。
【図１０】アンテナ内蔵型ＩＣチップを読み取る状態を示す斜視図。
【符号の説明】
【００２６】
１１        アンテナ内蔵型ＩＣチップ
１２        単体
１３        取付孔
１４        リーダ
Ａ          封印具
【図１】
2005148399.tif 000003
【図２】
2005148399.tif 000004
【図３】
2005148399.tif 000005
【図４】
2005148399.tif 000006
【図５】
2005148399.tif 000007
【図６】
2005148399.tif 000008
【図７】
2005148399.tif 000009
【図８】
2005148399.tif 000010
【図９】
2005148399.tif 000011
【図１０】
2005148399.tif 000012